【手続補正書】
【提出日】平成15年12月25日(2003.12.25)
【手続補正１】
【補正対象書類名】特許請求の範囲
【補正対象項目名】全文
【補正方法】変更
【補正の内容】
【特許請求の範囲】
【請求項１】
通信システムにおいて、
単一の高出力の順方向チャネル送信器基地局と、
クレジット・カードの長さ、幅、及び厚さと類似の寸法を有する少なくとも１つの無線通信装置とを備え、前記少なくとも１つの無線通信装置は、
受信器と、
アンテナと、
マン・マシン・インターフェイスと、
処理装置と、
電源とを含む、内部に埋め込まれた構成部品を備え、
前記少なくとも１つの無線通信装置は前記基地局と通信する、通信システム。
【請求項２】
前記基地局は高温超伝導受信器を備える、請求項１に記載の通信システム。
【請求項３】
前記少なくとも１つの無線通信装置は更に、送信器を備える、請求項１に記載の通信システム。
【請求項４】
前記受信器は周波数シフト・キーイング受信器を備える、請求項１に記載の通信システム。
【請求項５】
前記受信器は直接シーケンス・スペクトラム拡散変調器を備える、請求項１に記載の通信システム。
【請求項６】
前記直接シーケンス・スペクトラム拡散変調器は差動位相シフト・キーイングを備える、請求項５に記載の通信システム。
【請求項７】
前記マン・マシン・インターフェイスはディスプレイを備える、請求項１に記載の通信システム。
【請求項８】
前記ディスプレイは薄状ポリマー放射型ディスプレイである、請求項７に記載の通信システム。
【請求項９】
前記ディスプレイは、図形及びテキスト情報を表示可能である、請求項７に記載の通信システム。
【請求項１０】
前記マン・マシン・インターフェイスは少なくとも１つの押しボタンを備える、請求項７に記載の通信システム。
【請求項１１】
前記電源は一次電池を備える、請求項１に記載の通信システム。
【請求項１２】
前記一次電池電池はリチウム再充電不可能電池である、請求項１１に記載の通信システム。
【請求項１３】
前記電源は二次電池を備える、請求項１に記載の通信システム。
【請求項１４】
前記二次電池は、リチウム再充電可能電池である、請求項１３に記載の通信システム。
【請求項１５】
前記電源は更に、
ａ）定電流源充電器と、
ｂ）低ドロップアウト・アナログ・レギュレータとを備える、
請求項１４に記載の通信システム。
【請求項１６】
前記アンテナはモノポール・アンテナである、請求項１に記載の通信システム。
【請求項１７】
前記アンテナはダイポール・アンテナである、請求項１に記載の通信システム。
【請求項１８】
前記アンテナはパッチ・アンテナである、請求項１に記載の通信システム。
【請求項１９】
前記システムは、音声応答アーキテクチャであり、更に
ａ）マイクと、
ｂ）集積広帯域処理装置と、を備える、
請求項１に記載の通信システム。
【請求項２０】
前記少なくとも１つの無線通信装置は構造的な柔軟性を有する、請求項１に記載の通信システム。
【請求項２１】
前記少なくとも１つの無線通信装置と前記基地局とは約３０ｋｍの距離を通信可能である、請求項１に記載の通信システム。
【請求項２２】
前記単一の高出力の順方向チャネル送信器基地局は、航空機に設けられている請求項１に記載の通信システム。
【請求項２３】
前記少なくとも１つの無線通信装置はその位置を全地球測位システムから受信し、前記基地局に前記位置をアップロードする請求項１に記載の通信システム。
【請求項２４】
前記少なくとも１つの無線通信装置は、質問プロトコルを利用して、前記単一の高出力の順方向チャネル送信器基地局と通信する請求項１に記載の通信システム。
【請求項２５】
前記少なくとも１つの無線通信装置は約０．７９ｍｍの厚さを有する請求項１に記載の通信システム。
【請求項２６】
前記少なくとも１つの無線通信装置は、約９．６ｃｍの長さ、約６．４ｃｍの幅を有する請求項１に記載の通信システム。
【請求項２７】
前記航空機は、前記少なくとも１つの無線通信装置から３０マイル（４８．２８０２ｋｍ）以内を無人飛行するように遠隔制御される、請求項２２に記載の通信システム。
【請求項２８】
通信装置において、
クレジット・カードの寸法と類似の長さ、幅、及び厚さを有した柔軟性のあるスマート・カードを備え、前記スマート・カードは、受信器、アンテナ、マン・マシン・インターフェイス、処理装置、及び電源を含む、内部に埋め込まれた構成部品を備え、前記装置は基地局と通信する、通信装置。
【請求項２９】
前記スマート・カード内に埋め込まれた送信器を備える、請求項２８に記載の装置。
【請求項３０】
前記受信器は周波数シフト・キーイング（ＦＳＫ）を利用する、請求項２８に記載の装置。
【請求項３１】
前記送信器は直接シーケンス・スペクトラム拡散方式（ＤＳＳＳ）の差動位相シフト・キーイング（ＤＰＳＫ）変調器を利用する、請求項２９に記載の装置。
【請求項３２】
前記マン・マシン・インターフェイスは、図形及びテキスト情報を表示可能なディスプレイを備える、請求項２８に記載の装置。
【請求項３３】
前記ディスプレイは薄状ポリマー放射型ディスプレイからなる、請求項３２に記載の装置。
【請求項３４】
前記マン・マシン・インターフェイスは少なくとも１つの押しボタンを備える、請求項２８に記載の装置。
【請求項３５】
前記電源は一次電池を備える、請求項２８に記載の装置。
【請求項３６】
前記一次電池はリチウム再充電不可能電池からなる、請求項３５に記載の装置。
【請求項３７】
前記電源は更に二次電池を備える、請求項３５に記載の装置。
【請求項３８】
前記二次電池はリチウム再充電可能電池からなる、請求項３７に記載の装置。
【請求項３９】
前記電源は更に、定電流源充電器と低ドロップアウト・アナログ・レギュレータとを備える、請求項２８に記載の装置。
【請求項４０】
前記装置は、約９．６ｃｍの長さ、約６．４ｃｍの幅、約０．７９ｍｍの厚さを有する、請求項２８に記載の装置。
【請求項４１】
前記アンテナは、約９．６ｃｍの長さ、及び約６．４ｃｍの幅を有する薄状フレキシブル・シートに埋め込まれたモノポール・アンテナからなり、前記シートを前記スマート・カードから展開することにより前記モノポール・アンテナが配備されるように、前記シートが前記スマート・カードの端に対してヒンジで動く、請求項２８に記載の装置。
【請求項４２】
前記アンテナは、それぞれ長い脚部及び短い脚部を備える第１のＬ字型部分と第２のＬ字型部分とを備え、前記第１のＬ字型部分は、長さ約９．６ｃｍ、幅約６．４ｃｍの薄状フレキシブル・シートに埋め込まれ、前記シートを前記スマート・カードから展開することにより前記第１のＬ字型部分が配備されるように、前記シートが前記スマート・カードの端に対してヒンジで動き、前記第２のＬ字型部分は前記スマート・カードに埋め込まれ、前記Ｌ字型部分の前記短い脚部は、前記スマート・カード及び前記シートのヒンジとなる端部付近で平行となるように構成されている、請求項２８に記載の装置。
【請求項４３】
前記アンテナは、前記スマート・カードの正面及び裏面のうちの少なくとも一方に添付されたパッチ・アンテナからなる、請求項２８に記載の装置。
【請求項４４】
ＭＥＭＳマイクと集積広帯域処理装置とを備える音声応答機能を更に備える、請求項２８に記載の装置。
【請求項４５】
その位置を全地球測位システムから受信し、基地局に前記位置をアップロードする、請求項２８に記載の装置。
【請求項４６】
クレジット・カード・サイズの無線通信装置において、
可撓性ダイから製造された、約９．６ｃｍの長さ、約６．４ｃｍの幅、及び約０．７９ｍｍの厚さを有するスマート・カードと、
スマート・カードに一体化された、順方向及び逆方向のチャネルを利用する処理装置であって、表示と逆方向チャネルの情報の生成とのために順方向チャネルの情報を処理し、順方向チャネルは、電力消費を最小化し順方向チャネルの干渉波に対する搬送波の割合を高めるために単純な繰り返しを利用し、逆方向チャネルは順方向エラー訂正符号を利用する、前記処理装置と、
前記スマート・カードに実装された送受信器であって、特定用途向け集積回路（ＡＳＩＣ）装置に埋め込まれ送信された情報を受信すべく単一変換周波数シフト・キーイング（ＦＳＫ）を利用する受信器と、干渉を取り除きかつ逆方向チャネルリンクの範囲を広げるために直接シーケンス・スペクトラム拡散方式（ＤＳＳＳ）の差動位相シフト・キーイング（ＤＰＳＫ）変調を利用する送信器とを備える前記送受信器と、
前記スマート・カードの正面に一体化されたマン・マシン・インターフェイスであって、テキスト及び図形の組合せを表示可能な４分の１のＶＧＡサイズのドット・マトリクスの薄状ポリマー放射型ディスプレイと、機能を実行するための少なくとも１つの押しボタンとを含む前記マン・マシン・インターフェイスと、
双方向のビットシリアル通信リンクを介して別体の基地局の集積処理装置と通信し、かつ、外部電源から電力を供給し電気的に接地するために、前記スマート・カードの外側に一体化されたコンタクト・パッドと、
平板状で、かつ高いエネルギー密度を有する電池と、定電流源充電器と、低ドロップアウト・アナログ・レギュレータとを備える、前記スマート・カードに取り付けられた電源と、
前記スマート・カードに埋め込まれたアンテナとを備え、
前記少なくとも１つの通信装置は、リザベーション“スロット付きアロハ”質問プロトコルを介して、高温超伝導受信器を備える高出力の順方向チャネル送信基器地局と通信する、通信装置。
【請求項４７】
前記電池は、リチウム・ポリマー二次化学の再充電可能電池と、一次の再充電不可能な薄状リチウム電池と、二次の再充電可能な薄状リチウム・ポリマー電池のうちの少なくとも一つを含む、請求項４６に記載の通信装置。
【請求項４８】
音声情報を送信するためにＭＥＭＳマイクを備える音声応答機能を有し、音声トラヒックが逆方向チャネル上で許可され、前記処理装置は、ボコーディング、順方向エラー訂正符号化、及びフレーム化が可能な集積ベースバンド機能を有する、請求項４６に記載の通信装置。
【請求項４９】
前記アンテナは、約９．６ｃｍの長さ、及び約６．４ｃｍの幅を有する薄状フレキシブル・シートに埋め込まれたモノポール・アンテナからなり、前記シートを前記スマート・カードから展開することにより前記モノポール・アンテナが配備されるように、前記シートが前記スマート・カードの端に対してヒンジで動く、請求項４６に記載の通信装置。
【請求項５０】
前記アンテナは、それぞれ長い脚部及び短い脚部を備える第１のＬ字型部分と第２のＬ字型部分とを備え、前記第１のＬ字型部分は、長さ約９．６ｃｍ、幅約６．４ｃｍの薄状フレキシブル・シートに埋め込まれ、前記シートを前記スマート・カードから展開することにより前記第１のＬ字型部分が配備されるように、前記シートが前記スマート・カードの端に対してヒンジで動き、前記第２のＬ字型部分は前記スマート・カードに埋め込まれ、前記Ｌ字型部分の前記短い脚部は、前記スマート・カード及びフレキシブル・シートのヒンジとなる端部付近で平行となるように構成されている、請求項４６に記載の装置。
【請求項５１】
前記アンテナは、前記スマート・カードの正面及び裏面のうちの少なくとも一方に添付されたパッチ・アンテナからなる、請求項４６に記載の通信装置。
【請求項５２】
前記スマート・カードは構造的な柔軟性を有する、請求項４６に記載の通信装置。
【請求項５３】
約３０ｋｍまでの距離を基地局と通信可能である、請求項４６に記載の通信装置。
【請求項５４】
その位置を全地球測位システムから受信し、基地局に前記位置をアップロードする、請求項４６に記載の通信装置。
【請求項５５】
高温超伝導受信器を備える単一の高出力の順方向チャネル送信器基地局と共同する少なくとも１つのクレジット・カード・サイズの無線通信装置において、
可撓性ダイから製造された、約９．６ｃｍの長さ、約６．４ｃｍの幅、及び約０．７９ｍｍの厚さを有するスマート・カードと、
スマート・カードに一体化された、順方向及び逆方向のチャネルを利用する処理装置であって、前記処理装置は、表示と逆方向チャネルの情報の生成とのために順方向チャネルの情報を処理し、順方向チャネルは、電力消費を最小化し順方向チャネルの干渉波に対する搬送波の割合を高めるために単純な繰り返しを利用し、逆方向チャネルは順方向エラー訂正符号を利用する、処理装置と、
前記スマート・カードに実装された送受信器であって、特定用途向け集積回路（ＡＳＩＣ）装置に埋め込まれ送信された情報を受信すべく単一変換周波数シフト・キーイング（ＦＳＫ）を利用する受信器と、干渉を取り除きかつ逆方向チャネルリンクの範囲を広げるために直接シーケンス・スペクトラム拡散方式（ＤＳＳＳ）の差動位相シフト・キーイング（ＤＰＳＫ）変調を利用する送信器と、を備える送受信器と、
前記スマート・カードの正面に一体化されたマン・マシン・インターフェイスであって、テキスト及び図形の組合せを表示可能な４分の１のＶＧＡサイズのドット・マトリクスの薄状ポリマー放射型ディスプレイと、機能を実行するための少なくとも１つの押しボタンとを含むマン・マシン・インターフェイスと、
双方向のビットシリアル通信リンクを介して別体の基地局の集積処理装置と通信し、かつ、外部電源から電力を供給し電気的に接地するために、前記スマート・カードの外側に一体化されたコンタクト・パッドと、
平板状で、かつ高いエネルギー密度を有する電池と、定電流源充電器と、低ドロップアウト・アナログ・レギュレータとを備える、前記スマート・カードに取り付けられた電源と、
前記スマート・カードに埋め込まれたアンテナとを備え、
前記少なくとも１つの通信装置は、リザベーション“スロット付きアロハ”質問プロトコルを介して、高温超伝導受信器を備える高出力の順方向チャネル送信基器地局と通信する、通信装置。
【請求項５６】
前記電池は、リチウム・ポリマー二次化学の再充電可能な電池と、一次の再充電不可能な薄状リチウム電池と、二次の再充電可能な薄状リチウム・ポリマー電池のうちの少なくとも一つを含む、請求項５５に記載の通信装置。
【請求項５７】
音声情報を送信するためにＭＥＭＳマイクを備える音声応答機能を有し、音声トラヒックが逆方向チャネル上で許可され、前記処理装置は、ボコーディング、順方向エラー訂正符号化、及びフレーム化が可能な集積ベースバンド機能を有する、請求項５５に記載の通信装置。
【請求項５８】
前記アンテナは、約９．６ｃｍの長さ、及び約６．４ｃｍの幅を有するフレキシブル・シートに埋め込まれたモノポール・アンテナからなり、前記シートを前記スマート・カードから展開することにより前記モノポール・アンテナが配備されるように、前記シートが前記スマート・カードの端に対してヒンジで動く、請求項５５に記載の通信装置。
【請求項５９】
前記アンテナは、それぞれ長い脚部及び短い脚部を備える第１のＬ字型部分と第２のＬ字型部分とを備え、前記第１のＬ字型部分は長さ約９．６ｃｍ、幅約６．４ｃｍのフレキシブル・シートに埋め込まれ、前記シートを前記スマート・カードから展開することにより前記第１のＬ字型部分が配備されるように、前記シートが前記スマート・カードの端に対してヒンジで動き、前記第２のＬ字型部分は前記スマート・カードに埋め込まれ、前記Ｌ字型部分の前記短い脚部は、前記スマート・カード及びフレキシブル・シートのヒンジとなる端部付近で平行となるように構成されている、請求項５５に記載の装置。
【請求項６０】
前記アンテナは、前記スマート・カードの正面及び裏面のうちの少なくとも一方に取付けられたパッチ・アンテナからなる、請求項５５に記載の通信装置。
【請求項６１】
前記スマート・カードは構造的な柔軟性を有する、請求項５５に記載の通信装置。
【請求項６２】
約３０ｋｍまでの距離を前記基地局と通信可能である、請求項５５に記載の通信装置。
【請求項６３】
その位置を全地球測位システムから受信し、基地局に前記位置をアップロードする、請求項５５に記載の通信装置。
【請求項６４】
前記単一の高出力の順方向チャネル送信器基地局は、航空機に設けられている請求項５５に記載の通信装置。
【請求項６５】
前記航空機は、前記少なくとも１つのクレジット・カード・サイズの無線通信装置から３０マイル（４８．２８０２ｋｍ）以内を無人飛行するように遠隔制御される、請求項５５に記載の通信装置。
【手続補正２】
【補正対象書類名】明細書
【補正対象項目名】００１１
【補正方法】変更
【補正の内容】
【００１１】
図２に示すように、Ｃ３Ｓは高出力順方向チャネル送信器３０を利用している。その理由は、Ｃ３Ｓの通信器は、極端なサイズ的制約のため簡単な受信器を使用し、好ましくは、ＦＳＫ変調器を使用するからである。典型的な実施形態において、Ｃ３Ｓは、高温超伝導技術とスペクトラム拡散符号化とを用いて、基本感度を向上させ、多数のマイクロ・セルラー受信器を必要とはしなくなった。向上した基地局により、Ｃ３Ｓの通信器の無線周波数の出力は非常に低くなり、電池の寿命が延び、小さな平面電池を使用することが可能となった。図３は、Ｃ３Ｓクレジット・カード４０の典型的な構造を示している。クレジット・カード４０の外観は、スマート・カードの形状（例えば、約９．６ｃｍ×６．４ｃｍ、厚さ０．７９ｍｍ）であり、複合送受信器４２と、アンテナ４４と、マン・マシン・インターフェイス（ＭＭＩ）とを含む。好ましくは、通信器のＭＭＩは、例えば、ドット・マトリックス・ディスプレイ等のディスプレイ４６と、押しボタン４８と、マイク（図示せず）とを含む。スマート・カード形状が好ましいが、他の構造を用いることもでき、例えば、カードは磁気カードとすることができる。